(57)【要約】【課題】作業員が整風装置内に入り込み、その身体の一部を乗り出して整風装置の上部周辺に対する保守点検や調整の作業を能率よく行なえ、また整風装置内の下部にも作業員が円滑に入り込んでその下部での作業も容易に行なうことができる整風装置付きエレベータを提供する。【解決手段】整風装置１６の上部に点検口２０を設け、この点検口２０に開閉カバー２１を設け、整風装置１６の内部に上下方向に回動可能でその回動で整風装置１６の壁面１６ａに沿う起立状態と、点検口２０と対向する倒伏状態とに姿勢を変えることが可能な作業台２５を設ける。整風装置１６の上部周辺に対する保守点検などの作業時には、作業台２５を倒伏させ、この作業台２５の上に作業員が乗り、また整風装置１６内の下部での作業時には作業台２５を起立させ、その整風装置１６内への作業員の入り込みを容易にする。【選択図】    図２
2006027835.tif 000002
【特許請求の範囲】
【請求項１】
かごの上部に整風装置を備える整風装置付きエレベータにおいて、
前記整風装置の上部に形成された人の出入りが可能な点検口と、
この点検口を開閉する開閉カバーと、
前記整風装置の内部のほぼ中段部に上下方向に回動可能に設けられ、その回動で整風装置の壁面に沿う起立状態と、前記点検口と対向する倒伏状態とに姿勢を変えることが可能な作業台と、
を具備することを特徴とする整風装置付きエレベータ。
【請求項２】
前記作業台は前記整風装置の内部に設けられた支持フレームを介して回動可能に支持されていることを特徴とする請求項１に記載の整風装置付きエレベータ。
【請求項３】
前記作業台は前記整風装置の壁面を補強する補強部材を介して回動可能に支持されていることを特徴とする請求項１に記載の整風装置付きエレベータ。
【請求項４】
前記作業台はその起立状態のもとで前記整風装置の壁面の一部を兼ねる構成となっていることを特徴とする請求項１に記載の整風装置付きエレベータ。
【発明の詳細な説明】
【技術分野】
【０００１】
この発明は、かごの上部に整風装置を備える整風装置付きエレベータに関する。
【背景技術】
【０００２】
高層ビルに設置される長行程で高速走行するエレベータにあっては、その走行に応じて
昇降路内に空気の乱れが生じてバフ音が発生し、かご内の乗客に不快感を与えてしまう。
【０００３】
このため、このようなエレベータにあっては、かごの上部に整風装置を設け、走行時の空気の乱れを抑えて静粛性を高めるようにしている。
【０００４】
ところで、エレベータの保守点検や調整の作業時には、作業員がかごの上に乗り込んでその作業を行なう。この際、かごの上部に整風装置が取り付けられていると、それが作業の邪魔となり、作業の能率が低下してしまう。
【０００５】
そこで、整風装置の一部に開口を形成し、作業員がその開口から整風装置内に入り込み、その整風装置内で、あるいは整風装置から身体の一部を乗り出して保守点検や調整などの作業を行なえるようにした整風装置付きエレベータが提案されている。
【発明の開示】
【発明が解決しようとする課題】
【０００６】
従来の整風装置付きエレベータにあっては、整風装置内のほぼ中段部に水平に作業台が設けられ、整風装置内に作業員が入り込み、前記作業台を足場として各種の作業を行なうようになっている。そして作業台は水平方向に移動可能に支持され、その移動で作業位置を変えることができるようになっている。
【０００７】
作業員が作業台の上に乗ることにより、整風装置の上部側に対する作業はやり易いが、しかしかごに対する作業のなかには整風装置内の下部において行なう作業もあり、このような場合には作業台の下側にまで作業員が入り込む必要がある。
【０００８】
ところが、従来の構造では、作業台が整風装置内のほぼ中段部に水平に配置されており、このためその作業台を水平移動させたとしても、整風装置内の下部へ作業員が入り込む際の空間領域がその作業台により狭まり、入り込みが面倒で厄介ととなり、作業性が低下するという問題がある。
【０００９】
この発明はこのような点に着目してなされたもので、その目的とするところは、作業員が整風装置内に入り込み、その身体の一部を乗り出して所要部位の保守点検や調整の作業を能率よく行なうことができると共に、整風装置内の下部へも作業員が円滑に入り込んでその下部での保守点検や調整などの作業を円滑に能率よく行なうことができる整風装置付きエレベータを提供することにある。
【課題を解決するための手段】
【００１０】
請求項１の発明は、かごの上部に整風装置を備える整風装置付きエレベータにおいて、前記整風装置の上部に形成された人の出入りが可能な点検口と、この点検口を開閉する開閉カバーと、前記整風装置の内部のほぼ中段部に上下方向に回動可能に設けられ、その回動で整風装置の壁面に沿う起立状態と、前記点検口と対向する倒伏状態とに姿勢を変えることが可能な作業台とを具備することを特徴としている。
【００１１】
請求項２の発明は、前記作業台が前記整風装置の内部に設けられた支持フレームを介して回動可能に支持されていることを特徴としている。
【００１２】
請求項３の発明は、前記作業台が前記整風装置の壁面を補強する補強部材を介して回動可能に支持されていることを特徴としている。
【００１３】
請求項４の発明は、前記作業台がその起立状態のもとで前記整風装置の壁面の一部を兼ねる構成となっていることを特徴としている。
【発明の効果】
【００１４】
この発明によれば、作業員が整風装置内に入り込み、その身体の一部を乗り出して所要部位の保守点検や調整の作業を能率よく行なうことができると共に、整風装置内の下部へも作業員が円滑に入り込んでその下部での保守点検や調整などの作業を円滑に能率よく行なうことができる。
【発明を実施するための最良の形態】
【００１５】
以下、この発明の実施の形態について図面を参照して説明する。
【００１６】
図１には整風装置付きエレベータの一部破断の正面図を、図２には同じく側面図を、図３には同じく平面図を示してあり、このエレベータはかご枠１を備え、このかご枠１の内側にかご２が設置されている。
【００１７】
かご枠１は左右に並ぶ一対の立梁４とその上部間および下部間にそれぞれ水平に架設された上梁５および下梁６とで構成されている。そして上梁５の上面に平板７が取り付けられている。
【００１８】
上梁５の中間部には平板７を介して吊りロープ１０の端部が締結固定され、この吊りロープ１０によりかご２が建屋の昇降路１１内に吊り下げられている。そして、昇降路１１の上部に設けられた巻上機（図示せず）により吊りロープ１０が駆動されてかご２が昇降路１１内で上下に走行するようになっている。
【００１９】
かご枠１における各立梁４の上下の端部には案内装置１３がそれぞれ設けられ、これら案内装置１３が昇降路１１内に設けられた一対のガイドレール１４に転動自在に係合し、この係合によりかご２がガイドレール１４に沿って走行するようになっている。
【００２０】
かご２の上方部および下方部には、かご２の走行時における空気の乱れを抑え、バフ音の発生を軽減して静粛性を高めるための整風装置１６，１７がそれぞれ設けられている。
【００２１】
各整風装置１６，１７はかご２の上方部および下方部を覆うように設けられた中空の構造体で、かご枠１における立梁４間に配置されている。そして立梁４の上端部間に架設された上梁５が上部の整風装置１６内を貫通し、この上梁５に取り付けられた吊りロープ１０が整風装置１６の上面のほぼ中央部を貫通してその上方に引き出されている。
【００２２】
図４には整風装置１６の内部の構造を拡大して示してある。整風装置１６の上面の一部には人の出入りが可能な点検口２０が形成され、この点検口２０に開閉カバー２１がヒンジ２２を介して回動可能に取り付けられている。なお、２３は開閉カバー２１の上面に設けられた取っ手である。
【００２３】
整風装置１６の内部には、かご２の前面側の壁面１６ａと隣接して支持フレーム２４が設けられ、この支持フレーム２４の上端部に作業台２５が取り付けられている。作業台２５は、整風装置１６内の中段よりやや上方のレベルの位置に配置され、その一側縁が支持フレーム２４の上端部にヒンジ２６を介して上下方向に回動可能に取り付けられ、整風装置１６の壁面１６ａと隣接して起立する起立状態から下方に回動してほぼ水平に倒伏する倒伏状態とに姿勢を変えることができるようになっている。そしてその倒伏状態のときに作業台２５が整風装置１６の点検口２０に対向するようになっている。
【００２４】
整風装置１６の壁面１６ａの上部には止め具２７が設けられ、作業台２５の自由端側の端部が前記止め具２７に摘みねじ２８を介して係脱可能に係止され、この係止により作業台２５の起立状態が保持されている。
【００２５】
前記上梁５の平板７の上にはほぼ垂直に起立するように受けフレーム３０が設けられ、この受けフレーム３０の上端部に受け部材３１が取り付けられ、作業台２５が起立状態から下方に回動して図５に示すように倒伏したときにその自由端側の端部が前記受け部材３１に受け止められ、かつ摘みねじ３３により係脱可能に係止され、この係止により作業台２５の倒伏状態を保持することができるようになっている。
【００２６】
通常時には、整風装置１６の点検口２０は開閉カバー２１で閉塞され、この状態でかご２が昇降路１１内をガイドレール１４に沿って走行する。エレベータの保守点検や調整の際には、エレベータの運転を停止し、作業員が昇降路１１内に入り込み、かご２の上に乗り、開閉カバー２１を上方に回動操作して点検口２０を開く。
【００２７】
この際、作業台２５が図４に示すように起立状態にあるときには、摘みねじ２８を外し、作業台２５を下方に回動して図５に示すように倒伏させ、受け部材３１で支持し、摘みねじ３３で係止して作業台２５を倒伏状態に保持する。
【００２８】
この状態で作業員が点検口２０から整風装置１６内に入り込んで作業台２５の上に降り立つ。作業台２５は作業員のほぼ上半身が点検口２０から突出する位置にあり、したがって作業員は作業台２５を足場として点検口２０から上半身を乗り出して整風装置１６の上部周辺の機器、例えば案内装置１３に対する保守点検や調整などの作業を行なう。この際、作業員は下半身が整風装置１６内に入り込んでいるから安全に作業を進めることができる。
【００２９】
一方、整風装置１６内の下部に配置する例えば吊りロープ１０の上梁５に対する締結固定部に対して保守点検や調整などの作業を行なう際には、作業員が点検口２０から整風装置１６内の下部まで入り込んでかご２の天井の上に降り立つ。この際、作業台２５が倒伏状態にあると、その作業台２５に妨げられて整風装置１６内の下部まで作業員が入り込むことができない。
【００３０】
そこで、この場合には、摘みねじ３３を外し、作業台２５を上方に回動して図４に示すように起立させ、その自由端側の端部を止め具２７に摘みねじ２８で係止して作業台２５を起立状態に保持する。
【００３１】
これにより、点検口２０の下方の空間が開放され、したがって作業員は点検口２０から、何ら作業台２５に妨げられることなく、整風装置１６内の下部にまで円滑に入り込んでかご２の天井上に降り立つことができる。そして、この状態で例えば吊りロープ１０の締結固定部に対する保守点検や調整などの作業を容易に能率よく行なうことができる。この際、作業台２５が整風装置１６の壁面１６ａに沿うように上方に起立しているから、作業台２５が作業の邪魔となるようなこともない。
【００３２】
図６には第２の実施形態を示してあり、この実施形態においては、整風装置１６の壁面１６ａの上部にその壁面１６ａを補強する補強部材３５が取り付けられ、この補強部材３５にヒンジ２６を介して作業台２５が上下方向に回動可能に枢着され、前記第１の実施形態における支持フレーム２４が排除されている。
【００３３】
そしてこの作業台２５が、整風装置１６の壁面１６ａに沿って起立する起立状態から下方に回動してほぼ水平に倒伏する倒伏状態とに姿勢を変えることができ、その各姿勢を摘みねじ２８，３３で保持することができるようになっている。
【００３４】
このような構成においても、前記第１の実施形態の場合と同様に、作業台２５を倒伏させることにより、作業員が点検口２０から整風装置１６内に入り込んで作業台２５の上に降り立ち、ほぼ上半身を点検口２０から乗り出して整風装置１６の上部周辺の機器、例えば案内装置１３に対する保守点検や調整などの作業を行なうことができ、また作業台２５を壁面１６ａに沿うように起立させることにより、作業員が点検口２０から整風装置１６内の下部まで入り込んでかご２の天井上に降り立ち、例えば吊りロープ１０の締結固定部に対する保守点検や調整などの作業を行なうことができる。この際、整風装置１６内の下部は、前記第１の実施形態の場合の支持フレーム２４が排除されたかたちとなっているから広いスペースが確保され、より作業がしやすくなる。
【００３５】
図７には第３の実施形態を示してあり、この実施形態においては、整風装置１６の壁面１６ａの上部に開口３８が形成され、この開口３８の下縁内側に補強部材３５が取り付けられ、この補強部材３５にヒンジ２６を介して作業台２５が上下方向に回動可能に枢着され、前記第１の実施形態における支持フレーム２４が排除されている。
【００３６】
そしてこの作業台２５が、整風装置１６の壁面１６ａに沿って起立することにより前記開口３８が閉塞され、この作業台２５が壁面１６ａの一部を兼ねる構成となっている。そして、この作業台２５が起立状態から下方に回動してほぼ水平に倒伏する倒伏状態に姿勢を変え、その各姿勢が摘みねじ２８，３３で保持されるようになっている。
【００３７】
このような構成においても、前記第１の実施形態の場合と同様に、作業台２５を倒伏させることにより、作業員が点検口２０から整風装置１６内に入り込んで作業台２５の上に降り立ち、ほぼ上半身を点検口２０から乗り出して整風装置１６の上部周辺の機器、例えば案内装置１３に対する保守点検や調整などの作業を行なうことができ、また作業台２５を壁面１６ａに沿うように起立させることにより、作業員が点検口２０から整風装置１６内の下部まで入り込んでかご２の天井上に降り立ち、例えば吊りロープ１０の締結固定部に対する保守点検や調整などの作業を行なうことができる。
【００３８】
この際、整風装置１６内の下部は、前記第１の実施形態の場合の支持フレーム２４が排除されたかたちとなっているから広いスペースが確保され、より作業がしやすくなる。また、作業台２５が整風装置１６の壁面１６ａの一部を兼ねるため、その分、壁面１６ａの材料費を削減してコストを軽減することができる。
【００３９】
なお、特に高速のエレベータにおいては、走行時のバフ音低減を目的として整風装置１６の頂部にスポイラを設ける場合があるが、その場合、スポイラは点検口２０を開閉する開閉カバー２１の上面に取り付けるようにする。
【図面の簡単な説明】
【００４０】
【図１】この発明の第１の実施形態に係る整風装置付きエレベータの一部破断の正面図。
【図２】そのエレベータの一部破断の側面図。
【図３】そのエレベータの平面図。
【図４】そのエレベータの要部を拡大して示す一部破断の側面図。
【図５】そのエレベータの作業台を倒伏させた状態を示す一部破断の側面図。
【図６】この発明の第２の実施形態に係る整風装置付きエレベータの一部破断の側面図。
【図７】この発明の第２の実施形態に係る整風装置付きエレベータの一部破断の側面図。
【符号の説明】
【００４１】
１…かご枠
２…かご
４…立梁
５…上梁
６…下梁
７…平板
１０…吊りロープ
１１…昇降路
１３…案内装置
１４…ガイドレール
１６．１７…整風装置
１６ａ…壁面
２０…点検口
２１…開閉カバー
２２…ヒンジ
２４…支持フレーム
２５…作業台
２６…ヒンジ
２７…止め具
３０…受けフレーム
３１…受け部材
３５…補強部材
３８…開口
【図１】
2006027835.tif 000003
【図２】
2006027835.tif 000004
【図３】
2006027835.tif 000005
【図４】
2006027835.tif 000006
【図５】
2006027835.tif 000007
【図６】
2006027835.tif 000008
【図７】
2006027835.tif 000009